(57)【要約】【課題】外部の衝撃に対してランプの破損を防止し、ランプ組立の作業性を向上させることができるバックライト組立体用支持部材及びバックライト組立体、並びにこれを有する液晶表示装置を提供する。【解決手段】バックライト組立体は、互いに平行に配置され光を発生する複数のランプと、底部及び側部からなり前記ランプを収納する収納容器と、前記ランプの上部に配置される拡散板と、前記底部に結合され、前記ランプを固定するためのランプ固定部を有する複数の支持部材とを有し、前記ランプ固定部はランプの挿入のための開口部を有し、該開口部は前記底部の面からの垂線を基準にして第１角度に傾いて形成される。【選択図】図２
2006032358.tif 000002
【特許請求の範囲】
【請求項１】
互いに平行に配置され光を発生する複数のランプと、
底部及び側部からなり前記ランプを収納する収納容器と、
前記ランプの上部に配置される拡散板と、
前記底部に結合され、前記ランプを固定するためのランプ固定部を有する複数の支持部材とを有し、
前記ランプ固定部はランプの挿入のための開口部を有し、該開口部は前記底部の面からの垂線を基準にして第１角度に傾いて形成されることを特徴とするバックライト組立体。
【請求項２】
前記支持部材は、前記拡散板を支持するための拡散板支持部をさらに有することを特徴とする請求項１に記載のバックライト組立体。
【請求項３】
前記支持部材は、２つ以上の前記ランプ固定部を有することを特徴とする請求項２又は３に記載のバックライト組立体。
【請求項４】
前記ランプ固定部は、前記拡散板支持部を基準にしてその両側に配置されることを特徴とする請求項３に記載のバックライト組立体。
【請求項５】
第１支持部材の第１ランプ固定部の第１開口部は、第１方向に傾き、前記第１支持部材の第２ランプ固定部の第２開口部は、前記拡散板支持部を基準にして前記第１方向とは反対方向である第２方向に傾くことを特徴とする請求項４に記載のバックライト組立体。
【請求項６】
第１支持部材の第１ランプ固定部の第１開口部は、第１方向に傾き、前記第１支持部材の第２ランプ固定部の第２開口部も、前記第１方向に傾いていることを特徴とする請求項４に記載のバックライト組立体。
【請求項７】
前記第１角度は、５°〜６０°の角度であることを特徴とする請求項１に記載のバックライト組立体。
【請求項８】
前記第１角度は、３０°の角度であることを特徴とする請求項７に記載のバックライト組立体。
【請求項９】
前記開口部の開口幅は、前記ランプの直径に対して８０％〜９０％であることを特徴とする請求項１に記載のバックライト組立体。
【請求項１０】
前記ランプそれぞれは、少なくとも一つ以上のランプ固定部に脱着可能に固定されることを特徴とする請求項１に記載のバックライト組立体。
【請求項１１】
前記支持部材は、前記ランプの長さ方向に対して直角な方向に沿ってジグザグ形態に配置されることを特徴とする請求項１に記載のバックライト組立体。
【請求項１２】
第１ランプ用第１支持部材は、前記収納容器の前記側部から第１距離分だけ離隔され、第２ランプ用第２支持部材は、前記収納容器の前記側部から第２距離分だけ離隔され、前記第１距離と前記第２距離とは互いに異なることを特徴とする請求項１１に記載のバックライト組立体。
【請求項１３】
前記底部上に配置され前記ランプから発生した光を反射する反射板と、
前記ランプの末端部を遮りながら前記収納容器と結合する側面モールド構造物とをさらに有することを特徴とする請求項１に記載のバックライト組立体。
【請求項１４】
互いに平行に配置され光を発生するランプと、底部及び側部からなり前記ランプを収納する収納容器と、前記ランプの上部に配置される拡散板と、前記底部に結合され前記ランプを固定するためのランプ固定部を有する支持部材とを有し、前記ランプ固定部は前記ランプの挿入のために前記底部の面からの垂線を基準にして第１角度に傾いて形成される開口部を有するバックライト組立体と、
前記バックライト組立体から出射される光を用いて画像を表示する液晶表示パネルと、
前記収納容器の背面に配置され、前記ランプを駆動するための駆動電圧を発生させるインバータと、
前記液晶表示パネルを前記バックライト組立体に固定するための固定部材とを有することを特徴とする液晶表示装置。
【請求項１５】
前記支持部材は、前記拡散板を支持するための拡散板支持部をさらに有することを特徴とする請求項１４に記載の液晶表示装置。
【請求項１６】
前記ランプ固定部は、前記支持部材に２つ以上が形成され、前記拡散板支持部を基準にしてその両側に配置されることを特徴とする請求項１４又は１５に記載の液晶表示装置。
【請求項１７】
第１支持部材の第１ランプ固定部の第１開口部は、前記第１支持部材の第２ランプ固定部の第２開口部と同一の方向に傾いていることを特徴とする請求項１６に記載の液晶表示装置。
【請求項１８】
前記第１角度は、５°〜６０°の角度であることを特徴とする請求項１４に記載の液晶表示装置。
【請求項１９】
前記第１角度は、３０°の角度であることを特徴とする請求項１８に記載の液晶表示装置。
【請求項２０】
前記開口部の開口幅は、前記ランプの直径に対して８０％〜９０％であることを特徴とする請求項１４に記載の液晶表示装置。
【請求項２１】
前記支持部材は、前記ランプの長さ方向に対して垂直な方向に沿ってジグザグ形態に配置されることを特徴とする請求項１４に記載の液晶表示装置。
【請求項２２】
第１ランプ用第１支持部材は、前記収納容器の前記側部から第１距離分だけ離隔され、第２ランプ用第２支持部材は、前記収納容器の前記側部から第２距離分だけ離隔され、前記第１距離と前記第２距離とは互いに異なることを特徴とする請求項２１に記載の液晶表示装置。
【請求項２３】
第１開口部と、
前記開口部の一端を形成する第１ジョー（ｊａｗ）と、
前記開口部の傾いた程度によって前記第１ジョーと第１距離分だけ離隔され、ランプを前記第１開口部から収納するために前記第１距離より大きい第２距離まで離隔幅が増加するようになされた前記開口部の他端を形成する第２ジョーとを有する第１ランプ固定部を有し、
前記第１ジョーは、前記第２ジョーより短い長さを有し、前記第１開口部がバックライト組立体の底部の面からの垂線に対し傾いているを特徴とするバックライト組立体用支持部材。
【請求項２４】
前記第１ランプ固定部から延長される連結棒をさらに有することを特徴とする請求項２３に記載のバックライト組立体用支持部材。
【請求項２５】
前記連結棒から延長される第２ランプ固定部をさらに有することを特徴とする請求項２４に記載のバックライト組立体用支持部材。
【請求項２６】
前記連結棒から延長され、前記第１ランプ固定部と前記第２ランプ固定部との間に配置される拡散板支持部をさらに有し、前記拡散板支持部の上端部と前記連結棒との間の距離は前記第１ランプ固定部の上端部と前記連結棒との間の距離より大きいことを特徴とする請求項２５に記載のバックライト組立体用支持部材。
【請求項２７】
前記第１ランプ固定部の第１開口部と前記第２ランプ固定部の第２開口部は、前記連結棒に対して垂直な線と５°ないし６０°の角度で傾いていることを特徴とする請求項２５に記載のバックライト組立体用支持部材。
【請求項２８】
前記第１開口部は前記連結棒に対して垂直な線から第１方向に傾き、前記第２開口部は前記第１方向とは左右対称の反対の方向である第２方向に傾いていることを特徴とする請求項２７に記載のバックライト組立体用支持部材。
【請求項２９】
前記第１距離はランプ直径の８０％ないし９０％であって、前記第１ランプ固定部は前記ランプが脱着可能なようにしてあることを特徴とする請求項２３に記載のバックライト組立体用支持部材。
【請求項３０】
四つ以上のランプ固定部をさらに有することを特徴とする請求項２３に記載のバックライト組立体用支持部材。
【請求項３１】
前記第１ランプ固定部は、前記連結棒の第１表面から延長され、支持部材は前記第１表面の反対である前記連結棒の第２表面から延長される結合部をさらに有することを特徴とする請求項２４記載のバックライト組立体用支持部材。
【請求項３２】
前記結合部は、前記バックライト組立体の収納容器の底部の開口に通過することができる大きさを有する突起物と、該突起物が前記開口から離脱することを防止する大きさを有する保持部とを有することを特徴とする請求項３１記載のバックライト組立体用支持部材。
【発明の詳細な説明】
【技術分野】
【０００１】
本発明はバックライト組立体用支持部材及びバックライト組立体、並びにこれを有する液晶表示装置に関し、さらに詳細には外部の衝撃に対してランプの破損を防止し、ランプ組立の作業性を向上させることができるバックライト組立体用支持部材及びバックライト組立体、並びにこれを有する液晶表示装置に関する。
【背景技術】
【０００２】
一般的に、液晶表示装置は液晶を用いて画像を表示する平板表示装置の一つとして、他の表示装置に比べて薄くて軽く、低駆動電圧及び低消費電力を有するという長所があるので、産業全般にかけて幅広く使用されている。
このような液晶表示装置は、画像を表示するための液晶表示パネルが自発的に発光できない非発光性素子であるので別途の人工光を提供するためのバックライト組立体を必要とする。
【０００３】
バックライト組立体は光を発生するランプを含む。このとき、ランプは細管形状を有する冷陰極蛍光ランプ（ＣＣＦＬ）が主に使用される。バックライト組立体はランプの位置によって、大きくエッジ型と直下型とに分類される。エッジ型は透明導光板の側面に一つまたは二つのランプを配置して導光板の一面を用いて光を多重反射させることによって得た光を液晶表示パネルに出射する方式であり、直下型は複数のランプを液晶表示パネルの直下部に配置してランプの前面には拡散板を配置し、ランプの背面には反射板を配置してランプから発光した光を反射、拡散させる方式である。従って、エッジ型は比較的大きさが小さい液晶表示装置に使用され薄型化に有利である一方、直下型は高輝度が要求される大型の液晶表示装置に主に使用される（例えば、特許文献１参照）。
【０００４】
直下型のバックライト組立体の場合、液晶表示装置の大きさが大型化されることによってランプの長さが長くなり、拡散板の大きさが大きくなる。従って、バックライト組立体はランプを固定しながら拡散板を支持するための支持部材をさらに含む。このとき、ランプは直下方向に支持部材に結合される。
【０００５】
しかし、ランプが支持部材に固定されている状態でも外部から衝撃が加えられる場合、ランプが支持部材から簡単に離脱してしまい破損してしまうなどの外部の衝撃に脆弱な問題点を有していた。また、ランプが支持部材から容易に離脱しないような支持部材の開口幅にした場合、ランプの挿入が難しくなって作業性及び不良率が増加するという問題点があった。
【０００６】
【特許文献１】特開２００４−２４７２７７号公報
【発明の開示】
【発明が解決しようとする課題】
【０００７】
そこで、本発明は上記従来のバックライト組立体における問題点に鑑みてなされたものであって、本発明の目的は、外部の衝撃に対してランプの破損を防止し、ランプ組立の作業性を向上させることができるバックライト組立体用支持部材及びバックライト組立体を提供することにある。
本発明の他の目的は上述したバックライト組立体を有する液晶表示装置を提供することにある
【課題を解決するための手段】
【０００８】
上記目的を達成するためになされた本発明によるバックライト組立体は、互いに平行に配置され光を発生する複数のランプと、底部及び側部からなり前記ランプを収納する収納容器と、前記ランプの上部に配置される拡散板と、前記底部に結合され、前記ランプを固定するためのランプ固定部を有する複数の支持部材とを有し、前記ランプ固定部はランプの挿入のための開口部を有し、該開口部は前記底部の面からの垂線を基準にして第１角度に傾いて形成されることを特徴とする。
【０００９】
前記支持部材は、前記拡散板を支持するための拡散板支持部をさらに有することを特徴とする。
前記支持部材は、２つ以上の前記ランプ固定部を有することを特徴とする。
前記ランプ固定部は、前記拡散板支持部を基準にしてその両側に配置されることを特徴とする。
第１支持部材の第１ランプ固定部の第１開口部は、第１方向に傾き、前記第１支持部材の第２ランプ固定部の第２開口部は、前記拡散板支持部を基準にして前記第１方向とは反対方向である第２方向に傾くことを特徴とする。
第１支持部材の第１ランプ固定部の第１開口部は、第１方向に傾き、前記第１支持部材の第２ランプ固定部の第２開口部も、前記第１方向に傾いていることを特徴とする。
前記第１角度は、５°〜６０°の角度であることを特徴とする。
前記第１角度は、３０°の角度であることを特徴とする。
前記開口部の開口幅は、前記ランプの直径に対して８０％〜９０％であることを特徴とする。
前記ランプそれぞれは、少なくとも一つ以上のランプ固定部に脱着可能に固定されることを特徴とする。
前記支持部材は、前記ランプの長さ方向に対して直角な方向に沿ってジグザグ形態に配置されることを特徴とする。
第１ランプ用第１支持部材は、前記収納容器の前記側部から第１距離分だけ離隔され、第２ランプ用第２支持部材は、前記収納容器の前記側部から第２距離分だけ離隔され、前記第１距離と前記第２距離とは互いに異なることを特徴とする。
前記底部上に配置され前記ランプから発生した光を反射する反射板と、
前記ランプの末端部を遮りながら前記収納容器と結合する側面モールド構造物とをさらに有することを特徴とする。
【００１０】
上記目的を達成するためになされた本発明による液晶表示装置は、互いに平行に配置され光を発生するランプと、底部及び側部からなり前記ランプを収納する収納容器と、前記ランプの上部に配置される拡散板と、前記底部に結合され前記ランプを固定するためのランプ固定部を有する支持部材とを有し、前記ランプ固定部は前記ランプの挿入のために前記底部の面からの垂線を基準にして第１角度に傾いて形成される開口部を有するバックライト組立体と、前記バックライト組立体から出射される光を用いて画像を表示する液晶表示パネルと、前記収納容器の背面に配置され、前記ランプを駆動するための駆動電圧を発生させるインバータと、前記液晶表示パネルを前記バックライト組立体に固定するための固定部材とを有することを特徴とする。
【００１１】
前記支持部材は、前記拡散板を支持するための拡散板支持部をさらに有することを特徴とする。
前記ランプ固定部は、前記支持部材に２つ以上が形成され、前記拡散板支持部を基準にしてその両側に配置されることを特徴とする。
第１支持部材の第１ランプ固定部の第１開口部は、前記第１支持部材の第２ランプ固定部の第２開口部と同一の方向に傾いていることを特徴とする。
前記第１角度は、５°〜６０°の角度であることを特徴とする。
前記第１角度は、３０°の角度であることを特徴とする。
前記開口部の開口幅は、前記ランプの直径に対して８０％〜９０％であることを特徴とする。
前記支持部材は、前記ランプの長さ方向に対して垂直な方向に沿ってジグザグ形態に配置されることを特徴とする。
第１ランプ用第１支持部材は、前記収納容器の前記側部から第１距離分だけ離隔され、第２ランプ用第２支持部材は、前記収納容器の前記側部から第２距離分だけ離隔され、前記第１距離と前記第２距離とは互いに異なることを特徴とする。
【００１２】
上記目的を達成するためになされた本発明によるバックライト組立体用支持部材は、第１開口部と、前記開口部の一端を形成する第１ジョー（ｊａｗ）と、前記開口部の傾いた程度によって前記第１ジョーと第１距離分だけ離隔され、ランプを前記第１開口部から収納するために前記第１距離より大きい第２距離まで離隔幅が増加するようになされた前記開口部の他端を形成する第２ジョーとを有する第１ランプ固定部を有し、前記第１ジョーは、前記第２ジョーより短い長さを有し、前記第１開口部がバックライト組立体の底部の面からの垂線に対し傾いているを特徴とする。
【００１３】
前記第１ランプ固定部から延長される連結棒をさらに有することを特徴とする。
前記連結棒から延長される第２ランプ固定部をさらに有することを特徴とする。
前記連結棒から延長され、前記第１ランプ固定部と前記第２ランプ固定部との間に配置される拡散板支持部をさらに有し、前記拡散板支持部の上端部と前記連結棒との間の距離は前記第１ランプ固定部の上端部と前記連結棒との間の距離より大きいことを特徴とする。
前記第１ランプ固定部の第１開口部と前記第２ランプ固定部の第２開口部は、前記連結棒に対して垂直な線と５°ないし６０°の角度で傾いていることを特徴とする。
前記第１開口部は前記連結棒に対して垂直な線から第１方向に傾き、前記第２開口部は前記第１方向とは左右対称の反対の方向である第２方向に傾いていることを特徴とする。
前記第１距離はランプ直径の８０％ないし９０％であって、前記第１ランプ固定部は前記ランプが脱着可能なようにしてあることを特徴とする。
四つ以上のランプ固定部をさらに有することを特徴とする。
前記第１ランプ固定部は、前記連結棒の第１表面から延長され、支持部材は前記第１表面の反対である前記連結棒の第２表面から延長される結合部をさらに有することを特徴とする。
前記結合部は、前記バックライト組立体の収納容器の底部の開口に通過することができる大きさを有する突起物と、該突起物が前記開口から離脱することを防止する大きさを有する保持部とを有することを特徴とする。
【発明の効果】
【００１４】
本発明のバックライト組立体用支持部材及びバックライト組立体、並びにこれを有する液晶表示装置によれば、ランプを固定するためのランプ固定部の開口部を所定角度に傾くように形成して外部の衝撃に対してランプ固定部からランプが離脱して破損することを防止することができるという効果がある。また、開口部の開口幅を増加させランプ組立の作業性を向上させることができるという効果がある。
【発明を実施するための最良の形態】
【００１５】
次に、本発明に係るバックライト組立体用支持部材及びバックライト組立体、並びにこれを有する液晶表示装置を実施するための最良の形態の具体例を図面を参照しながら説明する。
図１は、本発明の一実施形態によるバックライト組立体を示す分解斜視図であり、図２は図１に示した支持部材とランプとの結合関係を示す斜視図である。
図１及び図２に示すように、本発明の一実施形態によるバックライト組立体１００は複数のランプ２００、収納容器３００、拡散板４００及び一つ以上の支持部材５００を含む。
【００１６】
ランプ２００は同一の平面上に互いに平行に配置され光を発生する。ランプ２００は収納容器３００の底部３１０と拡散板４００との間に配置される。ランプ２００は、一例として、細管形状の冷陰極蛍光ランプ（ＣＣＦＬ）からなる。また、ランプ２００が外部電極蛍光ランプ（ＥＥＦＬ）からなることもできる。さらに、ランプ２００が多様な光源を含むこともできる。本実形態において、バックライト組立体１００はランプ２００を固定するためのランプホルダ２１０をさらに含む。ランプホルダ２１０は収納容器３００の第１の側部３２０及び第１の側部３２０と平行な第２の側部３２０に配置されランプ２００の両端部を支持することができる。ランプ２００の長軸は第１及び第２の側部３２０と垂直をなす方向にのびている。ランプ２００の両端部はランプホルダ２１０に介在されて固定され、ランプホルダ２１０は収納容器３００に結合され固定される。一例として、一つのランプホルダ２１０には互いに隣接した２つのランプ２００が結合される。このとき、一つのランプホルダ２１０が複数個のランプ２００を支持することもできる。
【００１７】
収納容器３００は底部３１０及び底部３１０から延長され収納空間を形成する四つの側部３２０からなる。四つの側部３２０中でランプ２００の長さ方向と平行な２つの側部３２０は「コ」の字形態にベンディングされている。あるいは、四つの側部３２０全部を「コ」の字形態にベンディングすることもできる。収納容器３００は、一例として、強度が大きくて加工の容易なシャーシ材質からなる。
【００１８】
拡散板４００はランプ２００の上部に配置される。拡散板４００はランプ２００と光学シート４１０との間に配置される。拡散板４００は所定の厚さを有する矩形のプレート形状を有する。拡散板４００はランプ２００から出射される光を拡散させ輝度均一性を向上させる。拡散板４００は支持部材５００によって支持される。一例として、拡散板４００としてポリメチルメタクリレート（ＰＭＭＡ）等が挙げられる。ＰＭＭＡはアクリル系樹脂で透明度が高くて強度があり、壊れにくいという特性を有しガラスの代用として使用される。拡散板４００は入射した光を拡散させる為の拡散剤を含む。
【００１９】
支持部材５００は収納容器３００の底部３１０に結合される。それぞれの支持部材５００はランプ２００を固定するための一つ以上のランプ固定部５１０を有する。ランプ固定部５１０はランプ２００の挿入のための開口部５１２を有する。開口部５１２は底部３１０の面からの垂線ＮＬを基準にして所定角度に傾いて形成される。それぞれの支持部材５００は拡散板４００を支持するための拡散板支持部５２０をさらに含む。拡散板支持部５２０はランプ固定部５１０よりさらに高い高さに突出され拡散板４００の下部面と接するようになる。
【００２０】
本実施形態において、支持部材５００は図２に示すように、２つのランプ固定部５１０を有する。２つのランプ固定部５１０は中央に位置した拡散板支持部５２０を基準にして両側にそれぞれ一つずつ配置される。このような構造を有する支持部材５００は互いに隣接した２つのランプ２００の間に配置される。このとき、ランプ固定部５１０はランプ２００の位置に対応するように配置され、拡散板支持部５２０はランプ２００の間に配置されるようになる。またさらに、支持部材５００は２つ以上のランプ固定部５１０を有することもできる。一例として、ランプ固定部５１０が四つの場合、拡散板支持部５２０を基準にして両側に二つずつランプ固定部５１０が配置される。また、支持部材５００が一つ以上の拡散板支持部５２０を含むこともできる。
【００２１】
支持部材５００はランプ２００の長さ方向に直角な方向に沿ってジグザグ形態に配置される。ジグザグ形態によって、支持部材５００は第１の側部３２０と多様な距離で離隔される。一例として、支持部材５００は第１の側部３２０から第１距離及び第２距離分だけ離隔される。支持部材５００が一直線上に配置される場合、支持部材５００が位置した領域のみが暗く見える黒線などの品質不良が発生することが起こりうる。従って、支持部材５００が一直線上に配置されないようにジグザグ形態に配置されることが望ましい。
【００２２】
本実施形態において、それぞれのランプ２００は一つのランプ固定部５１０のみに固定される。しかし、ランプ２００の長さがさらに長くなる場合、支持部材５００の個数をさらに増加させ、それぞれのランプ２００に２つ以上のランプ固定部５１０を配置させることもできる。即ち、一つ以上の支持部材５００がそれぞれのランプの組み合わせに対応させることもできる。そのとき、支持部材５００はランプを堅固に支持するためにランプの長軸方向に離隔して配置する。
【００２３】
一方、バックライト組立体１００は拡散板４００の上部に配置される光学シート４１０をさらに含むことができる。光学シート４１０は拡散板４００を通じて出射される光を正面方向に集光して光の正面輝度を向上させる役割を果たす。光学シート４１０は二枚以上を用いて形成することもできる。また、図示していないが、バックライト組立体１００は光学シート４１０の上部または下部に配置される拡散シートをさらに含むことができる。拡散シートは通過する光を拡散させ輝度均一性をさらに向上させる。
【００２４】
また、バックライト組立体１００はランプ２００の両側末端領域に対応して配置される側面モールド構造物３３０をさらに含むことができる。側面モールド構造物３３０はランプ２００の両側末端部を遮蔽しながら収納容器３００にそれぞれ結合する。側面モールド構造物３３０は他の領域に比べて輝度が相対的に低いランプ２００の両側末端領域、即ち、ランプ２００の電極が形成された領域を遮蔽して輝度不均一を除去する。また、側面モールド構造物３３０は上部に配置される拡散板４００を支持しながら拡散板４００の収納位置をガイドする。
【００２５】
図３は図１に示された支持部材を具体的に示す図面である。
図３に示すように、支持部材５００はランプ固定部５１０と拡散板支持部５２０を含む。本実施形態において、ランプ固定部５１０と拡散板支持部５２０は連結棒５１４によって連結される。また、支持部材５００は収納容器３００との結合のための結合部５３０をさらに含む。結合部５３０は収納容器３００の底部３１０を貫通して収納容器３００の底面に結合され、支持部材５００を収納容器３００に固定する。即ち、底部３１０はランプ固定部５１０から、または連結棒５１４から結合部５３０の突起物（ｐｒｏｎｇ）を収容するための開口を有することもできる。支持部材５００の突起物部分が底部３１０に挿入された後、結合部５３０の残りの部分の保持部と底部３１０の開口とが係合され、支持部材５００の連結棒５１４が底部３１０に堅固に結合される。
【００２６】
拡散板支持部５２０は支持部材５００の中央に形成され、２つのランプ固定部５１０は拡散板支持部５２０を基準にして両側にそれぞれ一つずつ形成される。拡散板支持部５２０はランプ固定部５１０より高い高さに形成され拡散板４００を支持し、ランプ固定部５１０に固定されたランプ２００と拡散板４００と間の距離を一定に保持する。
【００２７】
ランプ固定部５１０はランプ２００の挿入のための開口部５１２を有する。開口部５１２は底部３１０の面からの垂線ＮＬを基準にして第１角度θ１に傾いて形成される。このとき、すべてのランプ固定部５１０の開口部５１２は同一の方向に傾く。特に、バックライト組立体１００を垂直に置いた場合、全ての開口部５１２の方向が上側に向かうように形成することが望ましい。第１角度θ１は約５°〜約６０°の角度の範囲を有することが好ましく、特に、第１角度θ１は約３０°の角度であることが望ましい。一方、開口部５１２の開口幅ＯＷはランプ２００の直径によって決定される。開口幅ＯＷが大きいほどランプ２００をランプ固定部５１０に挿入することが容易であるが、開口幅ＯＷがあまり大きくなる場合、ランプ２００が容易に離脱してしまうことが起こりうる。従って、開口部５１２の開口幅ＯＷはランプ２００の直径の約８０％〜約９０％の範囲を有することが望ましい。開口部５１２の開口幅ＯＷがランプ２００直径の８０％より小さい場合はランプ２００を挿入することが難しく、強制的にランプを挿入する際、ランプ２００が破損してしまうことが起こりうる。
【００２８】
一例として、ランプ２００の直径が約４ｍｍの場合、開口部５１２の開口幅ＯＷは約３．３ｍｍに形成される。このとき、開口幅ＯＷはランプ２００直径の８２．５％で、８０％以上になる。このようなランプ固定部５１０にランプ２００を挿入した状態で、５０Ｇの速度で１１ｍｓ時間の間、衝撃を加える衝撃シミュレーションの結果、ランプ２００がランプ固定部５１２から離脱しないことを確認することができた。ここで、Ｇは重力加速度である。各ランプ固定部５１０は開口部５１２の安定位置の方に偏向された開口部５１２の両端を形成する２つの収納ジョー（ｒｅｃｅｉｖｉｎｇ  ｊａｗ）を含む。ランプ２００を収容するためのために、収納ジョーは小さい外力にも容易にその開口間隔が広がり、開口部５１２の開口間隔を一時的に増加させる。外力が除去された場合、ランプ２００はランプ固定部５１０に収納され、収納ジョーは弾性によって本来の位置に復元され開口幅ＯＷ分だけ離隔された状態にもどる。
【００２９】
（比較例１）
サイズが２６インチ、３２インチ、４０インチであるＬＣＤ−ＴＶに使用されるバックライト組立体において、ランプ固定部の開口部が底部の面からの垂線と同一の角度に形成され、ランプの直径が４ｍｍ、開口部の開口幅３．４ｍｍの場合、前記のような条件で衝撃シミュレーションを行った結果、ランプが固定部から離脱した。開口部の開口幅を３．０ｍｍに減少させ衝撃シミュレーションを行った結果では、ランプがランプ固定部から離脱しなかった。即ち、開口幅がランプ直径に対して７５％のときはランプがランプ固定部から離脱しなかったが、開口幅がランプ直径に対して８５％の時にはランプがランプ固定部から離脱してしまい不良が発生した。
【００３０】
（比較例２）
サイズが４２インチであるＬＣＤ−ＴＶに使用されるバックライト組立体で、ランプ固定部の開口部が底部の面からの垂線と同一の角度に形成され、ランプの直径が４ｍｍ、開口部の開口幅３．３ｍｍの場合、前記のような条件で衝撃シミュレーションを行った結果、ランプがランプ固定部から離脱した。開口部の開口幅を３．０ｍｍに減少させ衝撃シミュレーションを行った結果では、ランプがランプ固定部から離脱しなかった。即ち、開口幅がランプ直径に対して７５％の時にはランプがランプ固定部から離脱しなかったが、開口幅がランプ直径に対して８２．５％の時にはランプがランプ固定部から離脱してしまい不良が発生した。
【００３１】
（比較例３）
サイズが４６インチであるＬＣＤ−ＴＶに使用されるバックライト組立体において、ランプ固定部の開口部が底部の面からの垂線と同一の角度に形成され、ランプ直径が４ｍｍ、開口部の開口幅が３．０ｍｍの場合、前記のような条件で衝撃シミュレーションを行った結果、ランプがランプ固定部から離脱した。開口部の開口幅を２．８ｍｍに減少させ衝撃シミュレーションを行った結果では、ランプがランプ固定部から離脱しなかった。即ち、開口幅がランプ直径に対して７０％の時はランプがランプ固定部から離脱しなかったが、開口幅がランプ直径に対して７５％の時にはランプがランプ固定部から離脱してしまい不良が発生した。
【００３２】
比較例１、２及び３に示すように、ランプ固定部の開口部が底部の面からの垂線と同一な角度に形成された場合、開口部の開口幅がランプ直径の８０％が超えると外部の衝撃でランプがランプ固定部から容易に離脱してしまい、まして、４６インチでもランプが離脱してしまうことを確認することができる。
【００３３】
図４は図１に示されたバックライト組立体の結合された断面を示す断面図である。
図４に示すように、バックライト組立体１００は収納容器３００の底部３１０上に配置される反射板３５０をさらに含むこともできる。反射板３５０はランプ２００から発生した光を拡散板４００の方向に反射させ光の利用効率を向上させる。
【００３４】
反射板３５０及び収納容器３００の底部３１０は支持部材５００の結合部５３０に対応して開口される。結合部５３０は反射板３５０及び底部３１０に開口されたところを貫通して収納容器３００の底面に締結される。一方、支持部材５００に形成される結合部５３０の位置及び個数は多様に変形させることができる。反射板３５０は底部３１０と連結棒３１４との間に配置される。
ランプ２００はランプ固定部５１０に挿入されて固定され、反射板３５０の上部に所定距離に離隔され配置される。
【００３５】
拡散板支持部５２０はランプ固定部５２０より高い高さに突出される。拡散板支持部５２０は上部には拡散板４００と光学シート４１０とが順次に配置される。拡散板支持部５２０は拡散板４００を支持しながら拡散板４００の垂れを防止し、ランプ２００と拡散板４００と間の距離を一定に保持する。
【００３６】
図５は本実施例の他の実施形態による支持部材を示す図面である。
図５に示すように、他の実施形態による支持部材６００はランプ固定部６１０、拡散板支持部６２０及び結合部６３０を含む。
拡散板支持部６２０は支持部材６００の中央に形成され、２つのランプ固定部６１０は拡散板支持部６２０を基準にして両側にそれぞれ一つずつ形成される。拡散板支持部６２０はランプ固定部６１０より高い高さに形成され拡散板４００を支持し、ランプ固定部６１０に固定されたランプ２００と拡散板４００と間の距離を一定に保持させる。
【００３７】
ランプ固定部６１０はランプ２００の挿入のための開口部６１２を有する。開口部６１２は収納容器３００の底部３１０の面からの垂線ＮＬを基準にして第１角度θ１に傾いて形成される。このとき、開口部６１２は拡散板支持部６２０のある方とは反対側に傾いて形成される。即ち、図面上で、拡散板支持部６２０の左側に位置するランプ固定部６１０の開口部６１２は左側方向に傾き、拡散板支持部６２０の右側に位置するランプ固定部６１０の開口部６１２は右側方向に傾く。本実施形態において、第１角度θ１は約５°〜約６０°の角度の範囲を有することが好ましく、特に、第１角度θ１は約３０°の角度であることが望ましい。一方、開口部６１２の開口幅ＯＷはランプ２００の直径によって決定される。開口幅ＯＷが大きいほどランプ２００をランプ固定部６１０に挿入することが容易になるが、開口幅ＯＷがあまり大きくなる場合、ランプ２００が容易に離脱してしまうことが起こりうる。従って、開口部５１２の開口幅ＯＷはランプ２００直径の約８０％〜約９０％の範囲を有することが望ましい。
【００３８】
一方、支持部材６００は四つ以上のランプ固定部６１０を有することもできる。一例として、ランプ固定部６１０が四つの場合、拡散板支持部６２０を基準にして左右側にそれぞれ２つずつのランプ固定部６１０が形成される。このとき、拡散板支持部６２０の左側に位置する２つのランプ固定部６１０は開口部６１２が左側に傾き、拡散板支持部６２０の右側に位置する２つのランプ固定部６１０は開口部６１２が右側に傾くように形成される。また、このとき、ランプ固定部６１０と拡散板支持部６２０は多様な配置を有することができる。
【００３９】
図６は本発明の一実施形態による液晶表示装置を示す分解斜視図であり、図７は図６に示した液晶表示装置の結合された状態の断面を示す断面図である。本実施形態において、バックライト組立体は上述した図１ないし図５の構成と同一であるので、同一の構成要素については同一の名称及び図面符号を使用し、その重複される詳細な説明は省略することにする。例えば、図７の液晶表示装置は、図２ないし図４の開口部、または図５の開口部を有することができる。
【００４０】
図６及び図７に示すように、本発明の一実施形態による液晶表示装置７００は光を供給するためのバックライト組立体１００、画像を表示するための表示ユニット８００、駆動電圧を発生させるインバータ９００及び固定部材９５０を含む。
【００４１】
表示ユニット８００は画像を表示する液晶表示パネル８１０、液晶表示パネル８１０を駆動するための駆動信号を提供するデータ及びゲート印刷回路基板８２０、８３０を含む。データ及びゲート印刷回路基板８２０、８３０から提供される駆動信号はデータ可撓性回路フィルム８４０及びゲート可撓性回路フィルム８５０を通じて液晶表示パネル８１０に印加される。データ及びゲート可撓性回路フィルム８４０、８５０は、一例として、テープキャリアパッケージ（ＴＣＰ）またはチップオンフィルム（ＣＯＦ）からなる。また、データ及びゲート可撓性回路フィルム８４０、８５０それぞれはデータ及びゲート印刷回路基板８２０、８３０から提供される駆動信号を適切なタイミングに液晶表示パネル８１０に印加するために駆動信号を制御するデータ及びゲート駆動チップ８４２、８５２をさらに含む。一方、ゲート印刷回路基板８３０はゲート可撓性回路フィルム８５０を互いに連結するための導電配線を液晶表示パネル８１０上に形成して除去することもできる。
【００４２】
液晶表示パネル８１０は、薄膜トランジスタ（以下、ＴＦＴと称する）基板８１２、ＴＦＴ基板８１２と対向して結合されるカラーフィルム基板８１４及び前記２つの基板８１２、８１４の間に介在された液晶８１６を含む。
ＴＦＴ基板８１２はスイッチング素子であるＴＦＴ（図示せず）がマトリックス形状に形成された透明なガラス基板である。前記ＴＦＴのソース及びゲート端子にはそれぞれデータ及びゲートラインが連結され、ドレイン端子には透明な導電性材質からなる画素電極（図示せず）が連結される。
【００４３】
カラーフィルム基板８１４は色画素であるＲＧＢ画素（図示せず）が薄膜工程によって形成された基板である。カラーフィルム基板８１４には透明な導電性材質からなる共通電極（図示せず）が形成される。
【００４４】
このような構成を有する液晶表示パネル８１０はＴＦＴのゲート端子に電源が印加されＴＦＴがターンオンされると、画素電極が共通電極との間には電界が形成される。このような電界によってＴＦＴ基板８１２とカラーフィルム基板８１４との間に介在された液晶８１６の配列が変化して、液晶８１６の配列変化によってバックライト組立体１００から供給される光の透過度が変更され所望する階調の画像が得られるようになる。
【００４５】
インバータ９００は、収納容器３００の背面に配置され、ランプ２００を駆動するための駆動電圧を発生させる。インバータ９００は外部から印加される低電圧の交流電圧をランプ２００を駆動するための高電圧の交流電圧に昇圧させ出力する。インバータ９００から発生した駆動電圧は、第１及び第２ランプワイヤ９１０、９２０によってそれぞれのランプ２００に印加される。即ち、各ランプ２００の一端は第１ランプワイヤ９１０を通じてインバータ９００と連結され、各ランプ２００の他端は第２ランプワイヤ９２０を通じてインバータ９００と連結される。インバータ９００はランプ２００の一端の側に配置され、第２ランプワイヤ９２０は、「コ」の字形態にベンディングされているランプ２００の長さ方向と平行な２つの側部３２０を通過してランプ２００の他端に連結される。
【００４６】
固定部材９５０は液晶表示パネル８１０の外周端部位を取り囲みながら収納容器３００に結合され液晶表示パネル８１０を固定する。このような固定部材９５０は外部衝撃による液晶表示パネル８１０の破損を防止し、液晶表示パネル８１０が収納容器３００から離脱することを防止する。一例として、固定部材９５０は軽くて堅固性の優れたシャーシ材質からなる。
【００４７】
また、収納容器３００には上部に配置される拡散板４００及び光学シート４１０の結合位置をガイドするための第１ガイドジョー３００ａ及び液晶表示パネル８１０の結合位置をガイドするための第２ガイドジョー３００ｂを形成することができる、また、図示していないが、液晶表示装置７００は拡散板４００及び光学シート４１０と液晶表示パネル８１０との間に配置され、拡散板４００及び光学シート４１０を固定し液晶表示パネル８１０の収納位置をガイドするための別途の固定手段をさらに含むこともできる。
【００４８】
尚、本発明は、上述の実施形態に限られるものではない。本発明の技術的範囲から逸脱しない範囲内で多様に変更実施することが可能である。
【図面の簡単な説明】
【００４９】
【図１】図１は本発明の一実施形態によるバックライト組立体を示す分解斜視図である。
【図２】図１に示した支持部材とランプとの結合関係を示す斜視図である。
【図３】図１に示した支持部材を具体的に示す図面である。
【図４】図１に示されたバックライト組立体の結合された断面を示す断面図である。
【図５】本発明の他の実施形態による支持部材を示す図面である。
【図６】本発明の一実施形態による液晶表示装置を示す分解斜視図である。
【図７】図６に示した液晶表示装置の結合した状態の断面を示す断面図である。
【符号の説明】
【００５０】
１００      バックライト組立体
２００      ランプ
２１０      ランプホルダ
３００      収納容器
３００ａ    第１ガイドジョー
３００ｂ    第２ガイドジョー
３１０      底部
３２０      側部
３３０      側面モールド構造物
３５０      反射板
４００      拡散板
４１０      光学シート
５００、６００  支持部材
５１０、６１０  ランプ固定部
５１２、６１２  開口部
５１４      連結棒
５２０、６２０  拡散板支持部
５３０、６３０  結合部
７００      液晶表示装置
８００      表示ユニット
８１０      液晶表示パネル
８１２      薄膜トランジスタ（ＴＦＴ）基板
８１４      カラーフィルム基板
８１６      液晶
８２０      データ印刷回路基板
８３０      ゲート印刷回路基板
８４０      データ可撓性回路フィルム
８４２      データ駆動チップ
８５０      ゲート可撓性回路フィルム
８５２      ゲート駆動チップ
９００      インバータ
９５０      固定部材
【図１】
2006032358.tif 000003
【図２】
2006032358.tif 000004
【図３】
2006032358.tif 000005
【図４】
2006032358.tif 000006
【図５】
2006032358.tif 000007
【図６】
2006032358.tif 000008
【図７】
2006032358.tif 000009
【手続補正書】
【提出日】平成17年8月15日(2005.8.15)
【手続補正１】
【補正対象書類名】特許請求の範囲
【補正対象項目名】請求項３
【補正方法】変更
【補正の内容】
【請求項３】
前記支持部材は、２つ以上の前記ランプ固定部を有することを特徴とする請求項１又は２に記載のバックライト組立体。